(57)【要約】      （修正有）【課題】取り付けられる機器との接続が容易で構造が簡単なカードコネクタを提供する。【解決手段】一端側に開口するカード挿入口と連通するカード受容空間１４を有する保持部材１０が、第１及び第２コンタクト１７，１９とを有し、第１若しくは第２メモリカード２ａ，２ｂをカード受容空間１４内に挿入させ、第１メモリカードのカード側端子３ａが第１コンタクト１７の一端に押圧接触し、第２メモリカードのカード側端子３ｂが第２コンタクト１９の一端に押圧接触するようにカードコネクタを構成する。このカードコネクタの後端部には、第１プリント板挿入孔１５に第１プリント板５ａを挿入して基板側端子に第１コンタクト１７の他端を押圧接触させ、第２プリント板挿入孔１６に第２プリント板５ｂを挿入して第２プリント板５ｂの基板側端子と第２コンタクト１９の他端とを押圧接触させるように構成する。【選択図】図５
2005005175.tif 000002
【特許請求の範囲】
【請求項１】
一端側に開口するカード挿入口と連通して前後に延びる空間部を有するハウジングと、前記ハウジングに取付けられそれぞれの一端が前記空間部内に突出する複数の第１コンタクト及び第２コンタクトとを有し、矩形平板状の第１メモリカード若しくは第２メモリカードを前記カード挿入口から前記空間部内に挿入させて受容保持し、
前記第１メモリカードが挿入されたときは、前記第１メモリカードに設けられた平面状のカード側端子が前記第１コンタクトの一端に押圧接触し、
前記第２メモリカードが挿入されたときは、前記第２メモリカードに設けられた平面状のカード側端子が前記第２コンタクトの一端に押圧接触するように構成されたカードコネクタであって、
前記ハウジングの他端側に開口して前記空間部と連通し、内部空間に前記第１コンタクトの他端が突出して延びた第１接続孔と、
前記第１接続孔と上下に並んで形成され、前記ハウジングの他端側に開口して前記空間部と連通し、内部空間に前記第２コンタクトの他端が突出して延びた第２接続孔とを有し、
前記第１接続孔に第１接続基板を挿入させて受容保持し、前記第１接続基板の表面に形成された基板側端子に前記第１コンタクトの他端を押圧接触させ、
前記第２接続孔に第２接続基板を挿入させて受容保持し、前記第２接続基板の表面に形成された基板側端子に前記第２コンタクトの他端を押圧接触させるように構成したことを特徴とするカードコネクタ。
【請求項２】
前記第１及び第２コンタクトの一方は前記空間部内の上部に取り付けられ、他方は前記空間部内の下部に取り付けられることを特徴とする請求項１に記載のカードコネクタ。
【請求項３】
前記カード挿入口には、前記第１コンタクトに押圧接触される前記第１メモリカードを挿入するための第１ガイド部と、前記第２コンタクトに押圧接触される前記第２メモリカードを挿入するための第２ガイド部とが形成されていることを特徴とする請求項１または２に記載のカードコネクタ。
【請求項４】
前記空間部内に受容保持された前記第１及び第２メモリカードを排出可能な位置に移動させる１つのスライダ機構を有することを特徴とする請求項１〜３のいずれかに記載のカードコネクタ。
【発明の詳細な説明】
【０００１】
【発明の属する技術分野】
本発明は、メモリカードを受容保持してこのメモリカードと機器とを電気的に接続するカードコネクタに関し、特に詳細には、規格の異なる２種類のメモリカードを接続可能なカードコネクタに関する。
【０００２】
【従来の技術】
携帯電話やデジタルカメラ等の携帯型電子機器で利用可能なメモリカードは形状の異なる複数の規格が存在している。そのため、これらのメモリカードの互換性を確保するために、複数の規格のメモリカードを接続可能としたカードコネクタが知られている（例えば、特許文献１参照）。
【０００３】
【特許文献１】
特開２００１−３１３１２８号公報（第４頁、第４図）
【０００４】
【発明が解決しようとする課題】
しかしながら、複数の規格のメモリカードを接続可能としたカードコネクタの場合、それぞれのメモリカードに対応したコンタクトが必要となり、そのコンタクトのぞれぞれからは外部に接続するための端子が設けられる。そして、このようなカードコネクタを機器に取り付ける方法としては、表面実装方式が知られているが、その場合上述の端子の配置が複雑になっていまう。
【０００５】
また、複数の規格のメモリカードを接続可能とした場合、挿入されたメモリカードを挿抜可能な排出位置に移動させるスライダ機構もメモリカードの規格毎に異なる。さらに、カードコネクタを小型化する必要があることから、挿入されたメモリカードの位置が側面視において重なるため、互いのスライダ機構が干渉することになり、カードコネクタの構造が複雑になってしまう。
【０００６】
このため、端子の配置やスライダ機構が複雑化することにより、このようなカードコネクタにおいては、使用上の品質トラブル（接触不良、機構不良、実装不良等）が多く信頼性が低いという課題や、部品点数の増加や複雑な組立作業により低コスト化が難しいという課題があった。
【０００７】
本発明はこのような課題に鑑みなされたものであり、取り付けられる機器との接続が容易で、スライダ機構の単純なカードコネクタを提供することを目的とする。
【０００８】
【課題を解決するための手段】
前記課題を解決するために、本発明に係るカードコネクタは、一端側に開口するカード挿入口と連通して前後に延びる空間部（例えば、実施形態におけるカード受容空間１４）を有するハウジング（例えば、実施形態における保持部材１０）と、このハウジングに取付けられそれぞれの一端が空間部内に突出する複数の第１コンタクト及び第２コンタクトとを有し、矩形平板状の第１メモリカード若しくは第２メモリカードをカード挿入口から空間部内に挿入させて受容保持し、第１メモリカードが挿入されたときは、第１メモリカードに設けられた平面状のカード側端子が第１コンタクトの一端に押圧接触し、第２メモリカードが挿入されたときは、第２メモリカードに設けられた平面状のカード側端子が第２コンタクトの一端に押圧接触するように構成される。そして、本発明に係るカードコネクタは、ハウジングの他端側に開口して空間部と連通し、内部空間に第１コンタクトの他端が突出して延びた第１接続孔（例えば、実施形態における第１プリント板挿入孔１５）と、第１接続孔と上下に並んで形成され、ハウジングの他端側に開口して空間部と連通し、内部空間に第２コンタクトの他端が突出して延びた第２接続孔（例えば、実施形態における第２プリント板挿入孔１６）とを有して構成される。そのため、第１接続孔に第１接続基板（例えば、実施形態における第１プリント板５ａ）を挿入させて受容保持し、この第１接続基板の表面に形成された基板側端子に第１コンタクトの他端を押圧接触させ、第２接続孔に第２接続基板（例えば、実施形態における第２プリント板５ｂ）を挿入させて受容保持し、この第２接続基板の表面に形成された基板側端子に第２コンタクトの他端を押圧接触させるように構成される。
【０００９】
このような構成によると、カードコネクタの後部に形成された第１及び第２接続孔に第１及び第２接続基板を挿入することで、この第１及び第２接続基板を用いてカードコネクタを機器と接続することができるため、接続が容易となる。
【００１０】
なお、第１及び第２コンタクトの一方は空間部内の上部に取り付けられ、他方は空間部内の下部に取り付けられることが好ましい。第１及び第２コンタクトをこのように取り付けると、第１及び第２コンタクトの取り付け位置と第１及び第２接続孔の位置とを一致させることができるため、配線を簡単にすることができる。
【００１１】
また、カード挿入口には、第１コンタクトに押圧接触させる第１メモリカードを挿入するための第１ガイド部と、第２コンタクトに押圧接触させる第２メモリカードを挿入するための第２ガイド部とが形成されていることが好ましく、この第１及び第２ガイド部により空間部内の正しい位置にメモリカードを挿入して係止保持することができる。
【００１２】
さらに、空間部内に受容保持された第１及び第２メモリカードを排出可能な位置に移動させる１つのスライダ機構（例えば、実施形態におけるスライダ２３及びハートカム機構２５）を有して構成することが好ましい。このように構成すると、１つのスライダ機構で２種類のメモリカードを排出することができるため、スライダ機構が複雑になることはない。
【００１３】
【発明の実施の形態】
以下、本発明の好ましい実施形態について図面を参照して説明する。本実施の形態はメモリカードを挿抜自在に保持し、且つフレキシブルプリント板を着脱自在に装着可能なカードコネクタの態様を示す。なお、図１に示すように、説明の便宜上、矢印が示す方向を前後、左右及び上下方向として以下説明する。まず、本発明に係るカードコネクタを説明する前に、このカードコネクタに装着されるメモリカードとフレキシブルプリント板について図１を用いて説明する。
【００１４】
メモリカード２は、厚さが薄く切手大の大きさを有して平板状であり、その先端下面に左右方向に所定の間隙を有して並設された複数のカード側端子３を有している。カード側端子３はメモリカード２内に内蔵された図示しないメモリ機構部に電気的に接続されて情報の読み書きが可能に構成されている。メモリカード２の左右いずれか一方の先端部の縁部（図１の場合は左側）には斜め後側に傾斜する傾斜部４が形成されている。
【００１５】
フレキシブルプリント板５は、可撓材料製の基板６の上に複数の導体７を並べた状態で印刷し、それらの上部に絶縁物を積層し、さらに、フレキシブルプリント板５の前端部に上部に変形しにくい変形防止部８を接着して構成されている。フレキシブルプリント板５の前端部には絶縁物が取り除かれて複数の導体７のそれぞれの先端部に繋がった複数の基板側端子９が左右方向に露出した状態で並んで形成されている。このフレキシブルプリント板５は、カードコネクタ１とこのカードコネクタ１が実装される機器とを電気的に接続するものである。
【００１６】
次に、このように構成されたフレキシブルプリント板５及びメモリカード２を装着保持する本発明に係るカードコネクタ１について図２を用いて説明する。カードコネクタ１は、図２（Ａ）に示すように、平面視において略矩形状であり、図１に示すメモリカード２を前端側から挿抜自在に保持可能であるとともに、図１に示すフレキシブルプリント板５を平面状のままで後端側から着脱自在に装着可能な保持部材１０と、保持部材１０の上面を覆うカバー部材１１とを有して構成されている。このカードコネクタ１は、図３及び図４に示すように、形状及び大きさの異なる２種類の規格のメモリカード２（「第１メモリカード２ａ」及び「第２メモリカード２ｂ」と呼ぶ）を挿抜自在に保持可能に構成されている。なお、本実施例では第１メモリカード２ａの幅方向寸法が、第２メモリカード２ｂの幅方向寸法より大きい規格のメモリカードであるとする。このとき、第１メモリカード２ａはカード側端子３ａが下面に位置するようにカードコネクタ１に挿入され、第２メモリカード２ｂはカード側端子３ｂが上面に位置するように挿入される。また、同様に、フレキシブルプリント板５も第１及び第２メモリカード２ａ，２ｂに対応して２つのフレキシブルプリント板５（「第１プリント板５ａ」及び「第２プリント板５ｂ」と呼ぶ）を装着可能に構成されている。
【００１７】
カバー部材１１は保持部材１０の上面に着脱可能に取り付けられている。カバー部材１１は、平面視において矩形状であって、保持部材１０の上面を覆う板状の天板部１１ａと、天板部１１ａの左右両端部から下方へ折曲して延びる側板部１１ｂと、側板部１１ｂの前側の縁部に左右方向外側へ折曲して延びる取付部１１ｃとを有して構成されており、この取付部１１ｃには、カードコネクタ１を実装する機器に取り付けるためのコネクタ側取付孔１１ｄが形成されている。そのため、このカードコネクタ１はこのコネクタ側取付孔１１ｄにネジ等を挿入して機器に締結される。なお、図２（Ａ）では、説明の都合上、カバー部材１１の天板部１１ａは省略して記載されている。
【００１８】
保持部材１０は絶縁材料製であり、保持部材１０の前端部は、その左右端が前方に延びる凹部１２を有し、この凹部１２は保持部材１０の前端から後端近傍位置まで延びている。凹部１２の前端にはカード挿入口１３が開口し、凹部１２に囲まれた部分にカード受容空間１４が形成されている。このカード挿入口１３には、メモリカード２（２ａ，２ｂ）をカード受容空間１４に挿入するときのガイドとなる第１及び第２ガイド部１３ａ，１３ｂが形成されている。
【００１９】
第１ガイド部１３ａは左右方向に延びる矩形状をしており、その左右方向及び上下方向の寸法は、第１メモリカード２ａの幅方向寸法及び厚さ方向寸法と略同一大きさに形成されている。第２ガイド部１３ｂは、カード挿入口１３の上部に上方に凹状に形成されており、その左右方向寸法は、第２メモリカード２ｂの幅方向寸法と略同一大きさに形成されている。このため、第１ガイド部１３ａに沿って第１メモリカード２ａが挿入されると、第１メモリカード２ａの下面と凹部１２の底面とが略同一平面上に位置し、第２メモリカード２ｂが第２ガイド部１３ｂに沿って挿入されると、第２メモリカード２ｂの上面とカバー部材１１の下面が略同一平面上に位置してメモリカード２がカード受容空間１４内に収容保持されることになる。
【００２０】
一方、保持部材１０の後端部には前後方向に貫通してカード受容空間１４に連通する第１プリント板挿入孔１５と第２プリント板挿入孔１６とが形成されている。この第１及び第２プリント板挿入孔１５，１６は断面が左右方向に延びる矩形状に形成されており、それぞれ、第１及び第２プリント板５ａ，５ｂの断面と略同一大きさであり、保持部材１０の後端面１０ａに上下に並んで形成されている。
【００２１】
第１プリント板挿入孔１５は、保持部材１０の下部に形成されており、この第１プリント板挿入孔１５内の底面には複数の第１コンタクト１７が取付けられている。この第１コンタクト１７は、図５に示すように、水平方向に延びる基部１７ａと、この基部１７ａの前端部から斜め上方へ延びる傾斜アーム部１７ｂと、傾斜アーム部１７ｂの先端部に形成された第１カード接触部１７ｃと、基部１７ａの後端側中央部から上方へ屈曲して斜め前方に延びた第１突出片部１７ｄとからなり、例えば、導電性金属材料の薄板を曲げ加工して一体成型される。この第１プリント板挿入孔１５の底面には、複数のコンタクト取付溝１８が左右方向に並んで所定の間隔を有して形成されており、このコンタクト取付溝１８に第１コンタクト１７の基部１７ａが圧入されて取付けられている。そのため、第１カード接触部１７ｃはカード受容空間１４内に位置して取付けられている。
【００２２】
第２プリント板挿入孔１６は、保持部材１０の上部に形成されており、この第２プリント板挿入孔１６内の上面には複数の第２コンタクト１９が取付けられている。この第２コンタクト１９は、図５に示すように、水平方向に延びる基部１９ａと、この基部１９ａの前端部から斜め下方へ延びる傾斜アーム部１９ｂと、傾斜アーム部１９ｂの先端部に形成された第２カード接触部１９ｃと、基部１９ａの後端側中央部から下方へ屈曲して斜め前方に延びた第２突出片部１９ｄとからなり、例えば、導電性金属材料の薄板を曲げ加工して一体成型される。この第２プリント板挿入孔１６の上面には、複数のコンタクト取付溝２０が左右方向に並んで所定の間隔を有して形成されており、このコンタクト取付溝２０に第２コンタクト１９の基部１９ａが圧入されて取付けられている。そのため、第２カード接触部１９ｃはカード受容空間１４内に位置して取付けられている。
【００２３】
以上より、第１コンタクト１７と第２コンタクト１９とは、カード受容空間１４内において、第１カード接触部１７ｃと第２カード接触部１９ｃとが上下に互いに対向するように突出して位置するように構成されており、かつ、第１コンタクト１７はカード受容空間１４の上部に、また、第２コンタクト１９はカード受容空間１４の下部に位置している。そして、第１突出片部１７ｄと第２突出片部１９ｄとは、それぞれ第１及び第２プリント板挿入孔１５，１６内に突出して位置するように構成されている。
【００２４】
このように構成されたカードコネクタ１のカード挿入口１３から第１メモリカード２ａが挿入されると、第１ガイド部１３ａにガイドされて、第１メモリカード２ａの先端部の下面が第１コンタクト１７の第１カード接触部１７ｃと当接してこの第１カード接触部１７ｃを下方に押し下げるが、第１コンタクト１７の弾性力で、第１カード接触部１７ｃは第１メモリカード２ａの下面に付勢する。よって、コンタクト取付溝１８の間隔を第１メモリカード２ａのカード側端子３ａの間隔に合わせるとともに、第１メモリカード２ａがカード受容空間１４に挿入されたときのカード側端子３ａの位置に第１カード接触部１７ｃの位置を合わせておけば、カード側端子３ａと第１カード接触部１７ｃが押圧接触して電気的に接続される。なお、カバー部材１１を構成する天板部１１ａの左右の端部近傍には下方に折曲してカード受容空間１４内に延びるガイド部１１ｅが形成されており、このガイド部１１ｅにより第１メモリカード２ａは第１カード接触部１７ｃとカード側端子３ａが押圧接触する位置に保持される。
【００２５】
また、カード挿入口１３から第２メモリカード２ｂが挿入されると、第２ガイド部１３ｂにガイドされて、第２メモリカード２ｂの先端部の上面が第２コンタクト１９の第２カード接触部１９ｃと当接してこの第２カード接触部１９ｃを上方に押し上げるが、第２コンタクト１９の弾性力で、第２カード接触部１９ｃは第２メモリカード２ｂの上面に付勢する。よって、コンタクト取付け溝２０の間隔を第２メモリカード２ｂのカード側端子３ｂの間隔に合わせるとともに、第２メモリカード２ｂがカード受容空間１４に挿入されたときのカード側端子３ｂの位置に第２カード接触部１９ｃの位置を合わせておけば、カード側端子３ｂと第２カード接触部１９ｃが押圧接触して電気的に接続される。
【００２６】
一方、カードコネクタ１の第１プリント板挿入孔１５から第１プリント板５ａが挿入されると、この第１プリント板５ａに第１コンタクト１７の第１突出片部１７ｄが下方に押し下げられて、第１プリント板５ａの下面に当接する。そのため、第１プリント板５ａの基板側端子９の間隔を第１コンタクト１７の間隔と略同一にすることにより、第１突出片部１７ｄと基板側端子９が押圧接触して電気的に接続される。
【００２７】
また同様に、カードコネクタ１の第２プリント板挿入孔１６から第２プリント板５ｂが挿入されると、この第２プリント板５ｂに第２コンタクト１９の第２突出片部１９ｄが上方に押し上げられて、第２プリント板５ｂの上面に当接する。そのため、第２プリント板５ｂの基板側端子９の間隔を第２コンタクト１９の間隔と略同一にすることにより、第２突出片部１９ｄと基板側端子９が押圧接触して電気的に接続される。
【００２８】
このように配設された第１及び第２コンタクト１７，１９を有した保持部材１０の左側端部、つまり、カード受容空間１４に挿入されたメモリカード２の傾斜部４が位置する端部には、図１に示すように凹部１２に並んで前後に延びる本体側段部２１が形成されている。また、この本体側段部２１の上面にカム溝２２が形成されている。そして、カム溝２２には、前後にスライド移動可能なスライダ２３が配設されている。このスライダ２３の後端面と凹部１２の内側後端面の間にはバネ２４が配設されており、以上によりハートカム機構２５が構成されている。
【００２９】
このカム溝２２は、スライダ２３を、カード側端子３（３ａ若しくは３ｂ）と第１若しくは第２コンタクト１７，１９が押圧接触した状態でメモリカード２（２ａ，２ｂ）を保持部材１０に収容させる接触状態位置、及び、メモリカード２を保持部材１０に対して挿抜可能な挿抜可能位置に位置決め保持させるように形成されている。スライダ２３は、メモリカード２がカード受容空間１４に挿入されたときに、このメモリカード２の傾斜部４と当接するように構成されている。そして、メモリカード２が押圧されて挿入されると、スライダ２３は、メモリカード２の傾斜部４に押圧されてカードコネクタ１の後端部へスライド移動して、バネ２４を圧縮し、ハートカム機構２５により接触状態位置で係止保持される。また、接触状態位置にあるメモリカード２がさらに押圧操作されてスライダ２３が押圧されると、ハートカム機構２５によるスライダ２３の係止状態が解除されるため、メモリカード２の押圧をやめると、スライダ２３はバネ２４の反発力によりメモリカード２を前方に押し出して挿抜可能位置に移動させる。
【００３０】
このように構成されたカードコネクタ１によれば、２組のコンタクト（第１及び第２コンタクト１７，１９）に対して、それぞれ第１及び第２プリント板５ａ，５ｂをプリント板挿入孔１５，１６に挿入することにより接続できるので、このカードコネクタ１を実装する機器に接続することが容易である。また、第１及び第２コンタクト１７，１９をそれぞれカード受容空間１４内の上部及び下部に位置して、お互いが対向するように配設することにより、互いに干渉することがなく、また、第１及び第２プリント板挿入孔１５，１６の位置と一致するため、コンタクト１７，１９とプリント板５ａ，５ｂとを繋ぐ配線が簡単になり、不具合の発生を防ぎ、且つ、低コスト化が容易である。
【００３１】
この場合、接続するメモリカード２のカード側端子３のピッチに合わせて、第１若しくは第２コンタクト１７，１９のピッチ及び第１若しくは第２プリント板５ａ，５ｂの基板側端子９のピッチを調整することにより対応することができるので、本発明に係るカードコネクタ１を各種規格のメモリカードに利用することができる。
【００３２】
また、カード挿入口１３に、第１及び第２メモリカード２ａ，２ｂをカード受容空間１４内に挿入するための第１及び第２ガイド部１３ａ，１３ｂを形成することにより、第１及び第２コンタクト１７，１９に対して第１及び第２メモリカード２ａ，２ｂのカード側端子３ａ，３ｂが押圧接触する位置に正しく挿入することができる。
【００３３】
さらに、このように一つのカード受容空間１４に対して、規格の異なる２枚のメモリカード２（２ａ，２ｂ）を受容保持して電気的に接続可能とすることにより、１つのスライダ機構（スライダ２３を含むハートカム機構２５）で両方のメモリカード２ａ，２ｂに対応できるため、構造が簡単になり、且つ、組立も簡単で低コスト化が可能であるとともに、不具合の可能性を低くして信頼性を高くすることができる。
【００３４】
なお、上述の実施形態の場合、第２ガイド部１３ｂにガイドされて挿入される第２メモリカード２ｂの厚さ寸法が第１メモリカード２ａと同じかそれ以下である場合は、第２メモリカード２ｂがカード受容空間１４内で自由に動ける空間ができてしまい正しく係止保持されない。そのため、図６に示すようにスペーサ３０を用いることで係止保持することが可能となる。
【００３５】
スペーサ３０は、平面視において第１メモリカード２ａと略同一大きさをしており、また、断面形状は、カード挿入口１３（第１及び第２ガイド部１３ａ，１３ｂを含む）と略同一形状に形成されている。そして、このスペーサ３０には、メモリカード挿入方向の前端から後端部近傍まで延びる凹状で第２メモリカード２ｂと略同一形状に形成されたカード保持空間３１が形成されている。このカード保持空間３１に第２メモリカード２ｂが装着される（カード側端子３ｂが上面に位置するように装着する）と、スペーサ３０の左右両側部の上面と第２メモリカード２ｂの上面とは略同一平面上に位置するように形成されており、前端面も略同一平面上に位置するように形成されている。なお、このスペーサ３０の後端部には、カード保持空間３１の後端部を覆うように係止部３２が形成されており、このカード保持空間３１と係止部３２とで囲まれてカード差込部３３が形成されている。そのため、第２メモリカード２ｂの後端部（カード側端子３ｂが形成されている端部と逆側の端部）はこのカード差込部３３に挿入されて保持される。
【００３６】
このため、図５（Ｂ）に示すように、第２メモリカード２ｂは、スペーサ３０が取付けられた状態で、第１及び第２ガイド部１３ａ，１３ｂにガイドされてカード受容空間１４内に挿入され、保持部材１０に係止保持されるため、第２カード接触部１９ｃとカード側端子３ｂとを押圧接触させることができる。
【００３７】
【発明の効果】
以上の説明から明らかなように、本発明に係るカードコネクタによれば、２組の複数のコンタクトにより規格の異なる２種類のメモリカードを接続可能とするものであり、それぞれのコンタクトに接続する第１及び第２接続基板を第１及び第２接続孔から挿入して接続可能なように構成することにより、このカードコネクタが実装される機器との接続を容易に行うことができる。また、このように第１及び第２接続基板により接続することにより、表面実装のための端子が不要となり配線を簡単にすることができるとともに、実装が容易となる。
【００３８】
このとき、２組の複数のコンタクトのいずれか一方を空間部の上部に位置するように配置し、他方を空間部の下部に位置するように配置することにより、各々のコンタクトと第１及び第２接続口の位置を一致させることができるため、配線を簡単にすることができる。
【００３９】
また、カード挿入口に、２組の複数のコンタクトの一方の組に押圧接触させるメモリカードを挿入するための第１ガイド部と、他方の組の複数のコンタクトに押圧接触させるメモリカードを挿入するための第２ガイド部とを形成することにより、それぞれのコンタクトと接触する位置にメモリカードを正しく挿入して係止保持することができる。
【００４０】
さらに、空間部内に受容保持されたメモリカードを排出可能な位置に移動させる１つのスライダ機構を有するように構成することにより、この１つのスライダ機構で２種類のメモリカード（第１及び第２メモリカード）を排出することができるため、スライダ機構が複雑になることが無く不具合を防止して信頼性が向上し、又、部品点数を減らすとともに組立を容易にして低コスト化も可能となる。
【図面の簡単な説明】
【図１】カードコネクタ、メモリカード及びフレキシブルプリント板を示す平面図である。
【図２】本発明に係るカードコネクタを示す図面であり、（Ａ）は平面図であり、（Ｂ）は側面図であり、（Ｃ）は背面図であり、（Ｄ）は正面図である。
【図３】第１メモリカードとカードコネクタの関係を表す斜視図である。
【図４】第２メモリカードとカードコネクタの関係を表す斜視図である。
【図５】図２のＶ−Ｖ断面図である。
【図６】スペーサを示す図であり、（Ａ）は平面図であり、（Ｂ）は側面図（ＶＩＢ−ＶＩＢ断面図）であり、（Ｃ）は背面図である。
【符号の説明】
１  カードコネクタ
２  メモリカード
２ａ  第１メモリカード
２ｂ  第２メモリカード
３（３ａ，３ｂ）  カード側端子
５  フレキシブルプリント板
５ａ  第１プリント板（第１接続基板）
５ｂ  第２プリント板（第２接続基板）
９  基板側端子
１０  保持部材（ハウジング）
１３  カード挿入口
１３ａ  第１ガイド部
１３ｂ  第２ガイド部
１４  カード受容空間（空間部）
１５  第１プリント板挿入孔（第１接続孔）
１６  第２プリント板挿入孔（第２接続孔）
１７  第１コンタクト
１９  第２コンタクト
２３  スライダ（スライダ機構）
２５  ハートカム機構（スライダ機構）
【図１】
2005005175.tif 000003
【図２】
2005005175.tif 000004
【図３】
2005005175.tif 000005
【図４】
2005005175.tif 000006
【図５】
2005005175.tif 000007
【図６】
2005005175.tif 000008